(57)【要約】【課題】確認・調査作業やメンテナンス作業時の作業性向上を図ることが可能な流量計変換器を提供する。【解決手段】基板５には、複数のチェック端子１４が設けられている。チェック端子１４の近傍には、このチェック端子１４を照らすためのＬＥＤ１５が設けられている。ＬＥＤ１５は、作業員が作業をする際、作業環境に左右されずに確認・調査作業やメンテナンス作業を行えるようにすることを目的として設けられている。ＬＥＤ１５を設けることによってチェック端子１４が照らされ、これによってチェック端子１４の位置が容易に分かるようになっている。【選択図】図１
2010071925.tif 000002
【特許請求の範囲】
【請求項１】
一又は複数の基板をケース内部に備えた状態で、被測定流体を計測するための流量計要素に組み付けられ、前記基板には複数のチェック端子が設けられる構成の流量計変換器において、
前記チェック端子の近傍に該チェック端子を照らすための端子照明手段を設ける、又は前記チェック端子と一体化するように前記端子照明手段を設ける
ことを特徴とする流量計変換器。
【請求項２】
請求項１に記載の流量計変換器において、
前記チェック端子の機能に応じて前記照明手段の発光する色を変える
ことを特徴とする流量計変換器。
【請求項３】
請求項１に記載の流量計変換器において、
前記流量計の状態に応じて前記端子照明手段を発光させる
ことを特徴とする流量計変換器。
【請求項４】
請求項１ないし請求項３いずれか記載の流量計変換器おいて、
ケース蓋部を取り外した時に前記端子照明手段を発光させる
ことを特徴とする流量計変換器。
【発明の詳細な説明】
【技術分野】
【０００１】
本発明は、被測定流体を計測するための流量計要素に組み付けられる流量計変換器に関する。
【背景技術】
【０００２】
流管に接続され、流速に応じて出力される物理量を検出して電気量に変換し、これを基に演算をして瞬時流量や積算流量を出力表示する流量計は、測定装置の一種として広く知られている。流量計は、被測定流体を計測する流量計要素（流量計本体）と、この流量計要素に組み付けられて上記演算等を行う流量計変換器（変換器）とを備えて構成されている（例えば下記特許文献１、２参照）。
【特許文献１】特開平６−１０２０７０号公報
【特許文献２】特開平１０−３０３７２２号公報
【発明の開示】
【発明が解決しようとする課題】
【０００３】
流量計はこの設置後やメンテナンス時に、「動作の健全性確認」、「不適合発生時の不適合箇所の調査」を行う必要がある。このため、流量計変換器の内部には、メンテナンス用のチェック端子が複数設けられている。チェック端子は、テスターやオシロスコープ等のプローブを接続することができるような小さな端子である。チェック端子は通常、基板（回路基板）の端部に設けられており、基板上のチェック端子の隣にはチェック端子の機能を示す表示が記されている。
【０００４】
流量計が設置される場所は、計測される流体の種類にもよるが、特に蒸気などの高温流体や危険流体の場合、通常、屋内の人が存在する環境には設置されず、天井裏や高所・地下に設置されることが多い。このため、比較的暗所での確認・調査作業やメンテナンス作業を行う必要がある。
【０００５】
一方、屋外に設置されるケースも多いが、流量計を照らすための照明が専用に設置されることは少なく、日没後は暗所でのメンテナンス作業を行う必要がある。
【０００６】
作業員は、懐中電灯等の照明手段を使用しながら確認・調査作業やメンテナンス作業を行う必要があり、従って、流量計の設置場所によっては作業性が悪くなってしまうという問題点を有している。
【０００７】
本発明は、上記した事情に鑑みてなされたもので、確認・調査作業やメンテナンス作業時の作業性向上を図ることが可能な流量計変換器を提供することを課題とする。
【課題を解決するための手段】
【０００８】
上記課題を解決するためになされた請求項１記載の本発明の流量計変換器は、一又は複数の基板をケース内部に備えた状態で、被測定流体を計測するための流量計要素に組み付けられ、前記基板には複数のチェック端子が設けられる構成の流量計変換器において、前記チェック端子の近傍に該チェック端子を照らすための端子照明手段を設ける、又は前記チェック端子と一体化するように前記端子照明手段を設けることを特徴としている。
【０００９】
このような特徴を有する本発明によれば、チェック端子が照らされることにより、例えば、比較的暗所でのメンテナンス作業や日没後の暗所でのメンテナンス作業を行う場合であっても直ぐにチェック端子の位置が分かり、結果、作業を良好に行うことが可能になる。
【００１０】
請求項２記載の本発明の流量計変換器は、請求項１に記載の流量計変換器において、前記チェック端子の機能に応じて前記照明手段の発光する色を変えることを特徴としている。
【００１１】
このような特徴を有する本発明によれば、端子照明手段を例えばＬＥＤとして、赤色に発光するＬＥＤを電子回路の基準電圧や流量信号の観測を行うチェック端子を照らすものとし、青色に発光するＬＥＤを疑似信号を入力するためのチェック端子を照らすものとする。チェック端子を機能毎に識別し易くなることから、作業を良好に行うことが可能になる。
【００１２】
請求項３記載の本発明の流量計変換器は、請求項１に記載の流量計変換器において、前記流量計の状態に応じて前記端子照明手段を発光させることを特徴としている。
【００１３】
このような特徴を有する本発明によれば、例えば流量演算用のＣＰＵに流量信号が正常に入力されてない状況を検知した場合は、流量信号を観測するためのチェック端子だけが端子照明手段によって照らされる。作業者にとってチェックすべきところが即分かることから、作業を良好に行うことが可能になる。
【００１４】
請求項４記載の本発明の流量計変換器は、請求項１ないし請求項３いずれか記載の流量計変換器おいて、ケース蓋部を取り外した時に前記端子照明手段を発光させることを特徴としている。
【００１５】
このような特徴を有する本発明によれば、電力消費を極力抑えてチェック端子を照らすことができるようになる。
【発明の効果】
【００１６】
本発明によれば、端子照明手段によってチェック端子が照らされることから、作業環境に左右されずに確認・調査作業やメンテナンス作業を行うことができる。従って、作業性が良好になり、結果、従来よりも作業性の向上を図ることができるという効果を奏する。
【発明を実施するための最良の形態】
【００１７】
以下、図面を参照しながら説明する。図１は本発明の流量計変換器の第一実施形態を示す分解斜視図である。また、図２及び図３は図１の要部を模式的に示した図である。
【００１８】
図１において、引用符号１は被測定流体を計測するための流量計要素（図示省略）に組み付けられる本発明の流量計変換器を示している。図示しない流量計要素及び流量計変換器１は、流量計（図示省略）を構成する部材として備えられている。図示しない流量計要素は、ここでは公知のものが用いられている（流量計要素の形態は特に限定されないものとする）。流量計は、瞬時流量や積算流量を演算にて求めてこれを出力表示することができるように構成されている。
【００１９】
上記流量計変換器１は、変換器ケース２を備えている。変換器ケース２は、ケース本体３と、このケース本体３の前面開口部を覆うケース蓋部４とを有している。変換器ケース２は、公知のものが用いられている。変換器ケース２の内部には、所望の電子部品を実装してなる複数の基板５が収容されている。具体的には（一例であるものとする）、上記前面開口側から順に、第一の基板６と、第二の基板７と、第三の基板８と、第四の基板９とが収容されている。各基板５（６〜９）は、それぞれ円板状に形成されるとともに、所定の間隔をあけて重なるように配置されている。尚、各基板５（６〜９）の基本的な機能は、従来と変わらないものとする。
【００２０】
第一の基板６及び第二の基板７は、第一の基板６の裏面及び第二の基板７の表面が対向するように配置されている。第一の基板６及び第二の基板７は、四本の支柱１０によって所定の間隔が維持されるようになっている。
【００２１】
第二の基板７及び第三の基板８は、第二の基板７の裏面及び第三の基板８の表面が対向するように配置されている。第二の基板７及び第三の基板８は、四本の支柱１１によって所定の間隔が維持されるようになっている。
【００２２】
第三の基板８及び第四の基板９は、第三の基板８の裏面及び第四の基板９の表面が対向するように配置されている。第三の基板８及び第四の基板９は、四本の支柱１２によって所定の間隔が維持されるようになっている。各基板５（６〜９）は、各支柱１０〜１２を貫通するような四本の固定ネジ１３によって固定されるようになっている。
【００２３】
第二の基板７及び第三の基板８には、それぞれ複数のチェック端子１４が設けられている。チェック端子１４は、流量計の設置後やメンテナンス時において、「動作の健全性確認」、「不適合発生時の不適合箇所の調査」を行うために設けられている。チェック端子１４は、本形態において、ピン状となる形状に形成されているが、この限りでないものとする。例えば、デジタルマルチメータ（テスター）やオシロスコープ等のプローブを接続させることができる形状であれば特に限定されないものとする。
【００２４】
第二の基板７及び第三の基板８の表面において、チェック端子１４の近傍には、特に図示しないがチェック端子の機能を示す表示が記されている。
【００２５】
図１ないし図３において、チェック端子１４の近傍には、このチェック端子１４を照らすためのＬＥＤ１５（端子照明手段）が設けられている。ＬＥＤ１５は、作業員が作業をする際、作業環境に左右されずに確認・調査作業やメンテナンス作業を行えるようにすることを目的として設けられている。ＬＥＤ１５を設けることによってチェック端子１４が照らされ、これによってチェック端子１４の位置が容易に分かるようになっている。ＬＥＤ１５は、本形態において、チェック端子１４と一対一で対応するように設けられている。
【００２６】
第二の基板７に設けられるチェック端子１４は、第一の基板６の裏面に設けられるＬＥＤ１５によって端子先端側から照らされるようになっている。一方、第三の基板８に設けられるチェック端子１４は、第三の基板８の表面、すなわちチェック端子１４の直ぐ近くに設けられるＬＥＤ１５によって端子横方向から照らされるようになっている。ＬＥＤ１５は、常時発光させておいても良いし、ケース蓋部４をケース本体３から取り外した時点で発光させるようにしても良いものとする（ケース蓋部４を取り外すとスイッチが入る回路構成にしておく）。
【００２７】
上記構成及び構造において、チェック端子１４はＬＥＤ１５によって照らされることから、例えば懐中電灯を使用しなくとも、確認・調査作業やメンテナンス作業を行うことができる。懐中電灯を持つ必要がなく、そして、チェック端子１４の位置が容易に分かるのであれば、作業性が向上するのは勿論である。
【００２８】
尚、上記懐中電灯以外として、仮にヘルメットにランプを固定して作業をするような場合を考えると、この場合には、あまり頭を動かすことができずに不自由さを感じてしまうが、本発明ではこのようなことがないのは当然である。
【００２９】
次に、図４ないし図７を参照しながら上記流量計変換器１に適用することができる他の実施形態について説明する。図４は第二実施形態を示す模式的な図、図５は第三実施形態を示す模式的な図、図６は第四実施形態を示す模式的な図、図７は第五実施形態を示す模式的な図である。
【００３０】
図４において、基板５には、チェック端子１４が設けられている。また、チェック端子１４の隣には、ＬＥＤ１５が設けられている。図中右側のＬＥＤ１５は、例えば赤色に発光するものであって、電子回路の基準電圧や流量信号の観測を行うチェック端子１４を照らすものとなっている（一例であるものとする）。一方、図中左側のＬＥＤ１５は、例えば青色に発光するものであって、疑似信号を入力するためのチェック端子１４を照らすものとなっている（一例であるものとする）。第二実施形態においては、チェック端子１４を機能毎に識別することがし易くなることから、作業を良好に行うことができるという効果を奏する。
【００３１】
図５において、チェック端子１４は、ＬＥＤ１５が一体化したものとなっている。破線円で囲まれるチェック端子１４の端部１４ａと、ＬＥＤ１５の二本のリード１５ａは、基板（図示省略）に差し込まれて、所定の回路に各々半田付けされるようになっている。第三実施形態においては、チェック端子１４の位置が分かり易いのは勿論のこと、ＬＥＤ１５の実装スペースにも配慮することができるという効果を奏する。
【００３２】
図６において、チェック端子１４は、透明な導光部材１６が一体化したものとなっている。そして、この導光部材１６の近傍には、導光部材１６に対して発光するような配置のＬＥＤ１５が設けられている。第四実施形態においては、チェック端子１４そのものを光っているように見せることができるという効果を奏する。つまり、上記のような配置構成でもチェック端子１４の位置を分かり易くすることができるという効果を奏する。
【００３３】
図７において、基板５には、チェック端子１４が設けられている。また、チェック端子１４の隣には、ＬＥＤ１５が設けられている。ＬＥＤ１５は、異常の状態に応じて発光するように設定されている。例えば、図中右側のＬＥＤ１５のみが発光しているとすると、これによって照らされる右側のチェック端子１４がチェックすべきところであることを指示している。第五実施形態においては、例えば流量演算用のＣＰＵに流量信号が正常に入力されてない状況を検知した場合など、流量信号を観測するためのチェック端子１４だけがＬＥＤ１５によって照らされる。従って、作業者にとってチェックすべきところが即分かるようになることから、作業を良好に行うことができるという効果を奏する。
【００３４】
以上、図１ないし図７を参照しながら説明してきたように、本発明によれば、ＬＥＤ１５のような端子照明手段（ＬＥＤの他には小さなランプ等が挙げられる。また、支柱１０、１１等を発光させることも挙げられる）によってチェック端子１４が照らされることから、作業環境に左右されずに確認・調査作業やメンテナンス作業を行うことができる。従って、作業性が良好になり、結果、従来よりも作業性の向上を図ることができるという効果を奏する。
【００３５】
本発明は本発明の主旨を変えない範囲で種々変更実施可能なことは勿論である。
【図面の簡単な説明】
【００３６】
【図１】本発明の流量計変換器の第一実施形態を示す分解斜視図である。
【図２】図１の第一の要部を模式的に示した図である。
【図３】図１の第二の要部を模式的に示した図である。
【図４】第二実施形態を示す模式的な図である。
【図５】第三実施形態を示す模式的な図である。
【図６】第四実施形態を示す模式的な図である。
【図７】第五実施形態を示す模式的な図である。
【符号の説明】
【００３７】
１  流量計変換器
２  変換器ケース
３  ケース本体
４  ケース蓋部
５  基板
６  第一の基板（基板）
７  第二の基板（基板）
８  第三の基板（基板）
９  第四の基板（基板）
１０〜１２  支柱
１３  固定ネジ
１４  チェック端子
１４ａ  端部
１５  ＬＥＤ（端子照明手段）
１５ａ  リード
１６  導光部材
【図１】
2010071925.tif 000003
【図２】
2010071925.tif 000004
【図３】
2010071925.tif 000005
【図４】
2010071925.tif 000006
【図５】
2010071925.tif 000007
【図６】
2010071925.tif 000008
【図７】
2010071925.tif 000009